(57)【要約】      （修正有）【課題】表示部を用いることなく時刻を容易に確認可能とする。【解決手段】携帯端末１は、筐体１０と、筐体の表面１０Ａに設けられ、表面上の所定位置Ｐを中心とした周方向において異なる位置に設けられた複数の入力キー４０を有する第１入力部１２と、表面に設けられ、互いに異なる数字が表示されている複数の数字入力キー５０を有する第２入力部１４と、入力キー及び数字入力キーのそれぞれを点灯させる発光部８０と、発光部による発光を制御する制御部と、を有する。制御部は、発光部に、取得した時刻情報に基づき複数の入力キーの一部を点灯させることで、第１入力部に時分のうちの時を表示させ、入力キーの点灯と同時に、発光部に、時刻情報に基づき複数の数字入力キーの一部を点灯させることで、第２入力部に時分のうちの分を表示させる。【選択図】図１
2020043440.tif 000002
【特許請求の範囲】
【請求項１】
筐体と、
前記筐体の表面に設けられ、前記筐体の表面上の所定位置を中心とした周方向において異なる位置に設けられた複数の入力キーを有する第１入力部と、
前記筐体の表面に設けられ、互いに異なる数字が表示されている複数の数字入力キーを有する第２入力部と、
前記入力キー及び前記数字入力キーのそれぞれを点灯させる発光部と、
前記発光部による発光を制御する制御部と、を有し、
前記制御部は、
前記発光部に、取得した時刻情報に基づき複数の前記入力キーの一部を点灯させることで、前記第１入力部に時分のうちの時を表示させ、
前記入力キーの点灯と同時に、前記発光部に、前記時刻情報に基づき複数の前記数字入力キーの一部を点灯させることで、前記第２入力部に時分のうちの分を表示させる、
携帯端末。
【請求項２】
前記第１入力部は、周方向に異なる位置に少なくとも８つの前記入力キーを有しており、
前記制御部は、複数の前記入力キーのうち、時を示す際のアナログ時計の短針の位置に周方向において対応する１つ又は２つの前記入力キーを点灯させることで、前記第１入力部に時分のうちの時を表示させる、請求項１に記載の携帯端末。
【請求項３】
前記第１入力部は、前記所定位置の上方向に位置する上入力キーと、前記所定位置の下方向に位置する下入力キーと、前記所定位置の右方向に位置する右入力キーと、前記所定位置の左方向に位置する左入力キーと、周方向において前記上入力キーと前記右入力キーとの間に位置する右上入力キーと、周方向において前記右入力キーと前記下入力キーとの間に位置する右下入力キーと、周方向において前記下入力キーと前記左入力キーとの間に位置する左下入力キーと、周方向において前記左入力キーと前記上入力キーとの間に位置する左上入力キーと、を有し、
前記制御部は、１つの前記入力キーを点灯させる場合には、前記上入力キー、前記下入力キー、前記右入力キー、及び前記左入力キーのうちの１つを点灯させ、２つの前記入力キーを点灯させる場合には、前記上入力キー、前記下入力キー、前記右入力キー、及び前記左入力キーのうちの１つと、前記右上入力キー、前記右下入力キー、前記左下入力キー、及び前記左上入力キーのうちの１つとを点灯させる、請求項２に記載の携帯端末。
【請求項４】
前記制御部は、
前記時刻情報における分において１０の位と１の位とが同じ数字であった場合、その数字が表示されている１つの前記数字入力キーを点灯させ、
前記時刻情報における分において１０の位と１の位とが異なる数字であった場合、それらの数字が表示されている２つの前記数字入力キーを同時に点灯させる、請求項１から請求項３のいずれか１項に記載の携帯端末。
【請求項５】
前記第２入力部は、さらに補助入力キーを有しており、
前記制御部は、前記時刻情報における分において１０の位の数字が１の位の数字より大きい場合、又は、１０の位の数字が１の位の数字より小さい場合のいずれか一方において、それらの数字に対応する２つの前記数字入力キーと共に、前記補助入力キーを点灯させる、請求項４に記載の携帯端末。
【請求項６】
筐体と、前記筐体の表面に設けられ、前記筐体の表面上の所定位置を中心とした周方向において異なる位置に設けられた複数の入力キーを有する第１入力部と、前記筐体の表面に設けられ、互いに異なる数字が表示されている複数の数字入力キーを有する第２入力部と、前記入力キー及び前記数字入力キーのそれぞれを点灯させる発光部と、を有する携帯端末の時刻表示方法であって、
前記発光部に取得した時刻情報に基づき複数の前記入力キーの一部を点灯させることで、前記第１入力部に時分のうちの時を表示させ、前記入力キーの点灯と同時に、前記発光部に前記時刻情報に基づき複数の前記数字入力キーの一部を点灯させることで、前記第２入力部に時分のうちの分を表示させる、
時刻表示方法。
【発明の詳細な説明】
【技術分野】
【０００１】
本発明は、携帯端末及び時刻表示方法に関する。
【背景技術】
【０００２】
携帯端末は、ユーザによる操作のための入力キーが備えられている。例えば、携帯無線機端末は、送信ボタンを押下している間だけマイクから集音した音声を電波として送信するプッシュ・トゥ・トーク  (PTT  :  Push  to  Talk)方式が基本であるため、送信ボタンと送受信チャネルを切り替えるロータリースイッチと、スピーカ音量を設定するレバーとを有する。また、例えば高機能な携帯無線機端末においては、テンキーなど各種入力キーを備え、入力キーがバックライトで発光可能となっているものもある。このような携帯端末は、液晶パネルなどの表示部を備えている場合もあるが、表示部が占める面積が小さいことが多く、表示した情報が視認し難くなるおそれがある。そのため、このような携帯端末においては、表示部の代わりに、入力キーをバックライトで点灯させることにより、情報を通知する場合がある。例えば特許文献１では、操作キーのバックライトの点灯を制御することで、ユーザに時刻を通知する旨が記載されている。
【先行技術文献】
【特許文献】
【０００３】
【特許文献１】特許第５４８７５７５号公報
【発明の概要】
【発明が解決しようとする課題】
【０００４】
特許文献１によると、表示部によらずに時刻を確認することが可能であるが、時分を示す情報が順を追って提示されるため、ユーザは、一連の表示が終了するまで操作キーを凝視する必要がある。そのため、特許文献１の携帯端末は、時刻通知の即時性や一覧性に乏しく、時刻を容易に確認し難いという課題がある。従って、時刻を容易に確認可能な携帯端末が求められている。
【０００５】
本発明は、上記課題を鑑み、表示部を用いることなく時刻を容易に確認可能な携帯端末及び時刻表示方法を提供することを目的とする。
【課題を解決するための手段】
【０００６】
本発明の一態様にかかる携帯端末は、筐体と、前記筐体の表面に設けられ、前記筐体の表面上の所定位置を中心とした周方向において異なる位置に設けられた複数の入力キーを有する第１入力部と、前記筐体の表面に設けられ、互いに異なる数字が表示されている複数の数字入力キーを有する第２入力部と、前記入力キー及び前記数字入力キーのそれぞれを点灯させる発光部と、前記発光部による発光を制御する制御部と、を有し、前記制御部は、前記発光部に、取得した時刻情報に基づき複数の前記入力キーの一部を点灯させることで、前記第１入力部に時分のうちの時を表示させ、前記入力キーの点灯と同時に、前記発光部に、前記時刻情報に基づき複数の前記数字入力キーの一部を点灯させることで、前記第２入力部に時分のうちの分を表示させる。
【０００７】
本発明の一態様にかかる時刻表示方法は、筐体と、前記筐体の表面に設けられ、前記筐体の表面上の所定位置を中心とした周方向において異なる位置に設けられた複数の入力キーを有する第１入力部と、前記筐体の表面に設けられ、互いに異なる数字が表示されている複数の数字入力キーを有する第２入力部と、前記入力キー及び前記数字入力キーのそれぞれを点灯させる発光部と、を有する携帯端末の時刻表示方法であって、前記発光部に取得した時刻情報に基づき複数の前記入力キーの一部を点灯させることで、前記第１入力部に時分のうちの時を表示させ、前記入力キーの点灯と同時に、前記発光部に前記時刻情報に基づき複数の前記数字入力キーの一部を点灯させることで、前記第２入力部に時分のうちの分を表示させる。
【発明の効果】
【０００８】
本発明によれば、表示部を用いることなく時刻を容易に確認することができる。
【図面の簡単な説明】
【０００９】
【図１】図１は、本実施形態に係る携帯端末の模式図である。
【図２】図２は、本実施形態に係る携帯端末の模式的な機能ブロック図である。
【図３】図３は、本実施形態における時刻表示方法を説明するフローチャートである。
【図４】図４は、時の表示を説明する図である。
【図５】図５は、本実施形態における分の表示方法を説明するフローチャートである。
【図６】図６は、分の表示例を説明する図である。
【図７】図７は、分の表示例を説明する図である。
【図８】図８は、分の表示例を説明する図である。
【図９】図９は、分の表示例を説明する図である。
【図１０】図１０は、分の表示例を説明する図である。
【００１０】
以下に、本発明の実施形態を図面に基づいて詳細に説明する。なお、以下に説明する実施形態により本発明が限定されるものではない。
【００１１】
図１は、本実施形態に係る携帯端末の模式図である。図１に示すように、本実施形態に係る携帯端末１は、筐体１０と、第１入力部１２と、第２入力部１４と、表示部１６と、音声入力部１８と、音声出力部２０と、ＰＴＴ（Push  to  Talk）スイッチ２２と、調整入力部２６と、アンテナ２８と、発光部８０とを有する。携帯端末１は、ユーザによって携帯される端末であり、本実施形態では、所定の周波数で無線通信が可能な無線機である。ただし、携帯端末１は、第１入力部１２と第２入力部１４とを有し、後述の入力キー４０及び数字入力キー５０が点灯可能な端末であれば、無線機に限られない。
【００１２】
筐体１０は、携帯端末１の本体部分であり、内部に、後述の制御部９０などの各種機器を収納している。以下、筐体１０の表面１０Ａに平行な１方向を、方向Ｘ１とし、方向Ｘ１と反対方向を、方向Ｘ２とする。また、筐体１０の表面１０Ａに平行な１方向であって、方向Ｘ１、Ｘ２に直交する方向を、方向Ｙ１とし、方向Ｙ１と反対方向を、方向Ｙ２とする。ユーザは、携帯端末１を用いる際に筐体１０を把持し、ユーザが筐体１０の表面１０Ａを見た場合、方向Ｘ１が左方向となり、方向Ｘ２が右方向となり、方向Ｙ１が上方向となり、方向Ｙ２が下方向となる。また、表面１０Ａに直交する方向であって、筐体１０の背面（図示略）から筐体１０の表面１０Ａに向かう方向、すなわち図１では紙面の手前側に向かう方向を、方向Ｚ１とする。
【００１３】
第１入力部１２は、筐体１０の表面１０Ａに設けられており、複数の入力キー４０を有している。言い換えれば、第１入力部１２は、筐体１０の表面１０Ａ上において、複数の入力キー４０が設けられた領域である。入力キー４０は、互いに異なる機能が割り当てられた物理ボタンである。携帯端末１は、ユーザが入力キー４０を操作、ここでは押圧することにより、その入力キー４０に割り当てられた機能に対応する入力を受け付ける。複数の入力キー４０は、表面１０Ａ上の所定位置Ｐを中心とした周方向において、互いに異なる位置に設けられている。すなわち、入力キー４０は、方向Ｚ１から見て、所定位置Ｐを中心とした周方向（円周方向）の１周にわたるように、第１入力部１２上に複数設けられている。なお、所定位置Ｐは、表面１０Ａ上、さらに言えば第１入力部１２上の任意の位置であってよいが、第１入力部１２の中心位置であることが好ましい。
【００１４】
本実施形態において、入力キー４０は、所定位置Ｐを中心とした周方向の異なる位置に、少なくとも８つ設けられている。具体的には、第１入力部１２には、入力キー４０として、上入力キー４１と、右入力キー４２と、下入力キー４３と、左入力キー４４と、右上入力キー４６と、右下入力キー４７と、左下入力キー４８と、左上入力キー４９とが設けられている。
【００１５】
上入力キー４１は、所定位置Ｐの方向Ｙ１（上方向）側に位置しており、さらに言えば、方向Ｚ１から見て所定位置Ｐに対して０時の位置に配置されている。言い換えれば、上入力キー４１は、右入力キー４２、下入力キー４３、及び左入力キー４４よりも方向Ｙ１側に位置している。上入力キー４１は、本実施形態では、方向Ｙ１を向いた矢印が表示（印字）されている。上入力キー４１は、押圧されることで、例えば周波数に対応するチャンネルを切り替えるという機能が割り当てられている。下入力キー４３は、所定位置Ｐの方向Ｙ２（下方向）側に位置しており、さらに言えば、方向Ｚ１から見て所定位置Ｐに対して６時の位置に配置されている。言い換えれば、下入力キー４３は、上入力キー４１、右入力キー４２、及び左入力キー４４よりも方向Ｙ２側に位置している。下入力キー４３は、本実施形態では、方向Ｙ２を向いた矢印が表示（印字）されている。下入力キー４３は、押圧されることで、例えば周波数に対応するチャンネルを切り替えるという機能が割り当てられている。
【００１６】
右入力キー４２は、所定位置Ｐの方向Ｘ２（右方向）側に位置しており、さらに言えば、方向Ｚ１から見て所定位置Ｐに対して３時の位置に配置されている。言い換えれば、右入力キー４２は、上入力キー４１、下入力キー４３、及び左入力キー４４よりも方向Ｘ２側に位置している。右入力キー４２は、本実施形態では、方向Ｘ２を向いた矢印が表示（印字）されている。右入力キー４２は、押圧されることで、例えば周波数に対応するチャンネルを切り替えるという機能が割り当てられている。左入力キー４４は、所定位置Ｐの方向Ｘ１（左方向）側に位置しており、さらに言えば、方向Ｚ１から見て所定位置Ｐに対して９時の位置に配置されている。言い換えれば、左入力キー４４は、上入力キー４１、右入力キー４２、及び下入力キー４３よりも方向Ｘ１側に位置している。左入力キー４４は、本実施形態では、方向Ｘ１を向いた矢印が表示（印字）されている。左入力キー４４は、押圧されることで、例えば周波数に対応するチャンネルを切り替えるという機能が割り当てられている。
【００１７】
このように、上入力キー４１と、右入力キー４２と、下入力キー４３と、左入力キー４４とは、所定位置Ｐを中心とした周方向において異なる位置に配置されており、所定位置Ｐの上下左右の４方向のそれぞれに位置している。なお、上入力キー４１と、右入力キー４２と、下入力キー４３と、左入力キー４４とにおいて、印字されている記号及び割り当てられている機能は、上記で説明したものに限られない。上入力キー４１と、右入力キー４２と、下入力キー４３と、左入力キー４４とは、任意の記号が印字され、任意の機能が割り当てられていてよい。
【００１８】
右上入力キー４６と、右下入力キー４７と、左下入力キー４８と、左上入力キー４９とは、方向Ｚ１から見て、上入力キー４１、右入力キー４２、下入力キー４３、及び左入力キー４４よりも、所定位置Ｐを中心とした放射方向の外側に位置している。さらに言えば、右上入力キー４６は、所定位置Ｐを中心とした周方向において、上入力キー４１と右入力キー４２との間に設けられている。右下入力キー４７は、所定位置Ｐを中心とした周方向において、右入力キー４２と下入力キー４３との間に設けられている。左下入力キー４８は、所定位置Ｐを中心とした周方向において、下入力キー４３と左入力キー４４との間に設けられている。左上入力キー４９は、所定位置Ｐを中心とした周方向において、左入力キー４４と上入力キー４１との間に設けられている。右上入力キー４６と、右下入力キー４７と、左下入力キー４８と、左上入力キー４９とにおいて、印字されている記号及び割り当てられている機能は、任意である。
【００１９】
なお、第１入力部１２は、以上のように各入力キー４０が配置されているが、複数の入力キー４０が、所定位置Ｐを中心とした周方向において互いに異なる位置に配列していればよく、必ずしも、上入力キー４１と右入力キー４２と下入力キー４３と左入力キー４４と右上入力キー４６と右下入力キー４７と左下入力キー４８と左上入力キー４９とを有することに限られない。
【００２０】
第２入力部１４は、筐体１０の表面１０Ａに設けられており、複数の数字入力キー５０と、補助入力キー７０とを有している。言い換えれば、第２入力部１４は、筐体１０の表面１０Ａ上において、複数の数字入力キー５０と、補助入力キー７０とが設けられた領域である。第２入力部１４は、第１入力部１２よりも方向Ｙ２側に位置しているが、第１入力部１２との位置関係は任意であり、例えば第１入力部１２よりも方向Ｙ１側に位置していてもよい。
【００２１】
数字入力キー５０は、互いに異なる機能が割り当てられた物理ボタンである。携帯端末１は、ユーザが数字入力キー５０を操作、ここでは押圧することにより、予め割り当てられた入力を受け付ける。数字入力キー５０は、互いに異なる数字が表示（印字）されている入力キー、すなわちテンキーである。複数の数字入力キー５０は、方向Ｚ１から見て、第２入力部１４上に、行列状に並んでいる。なお、ここでの行とは、方向Ｘ１に沿った配列であり、列とは、方向Ｙ１に沿った配列である。具体的には、第２入力部１４は、数字入力キー５０として、第１数字入力キー５１と、第２数字入力キー５２と、第３数字入力キー５３と、第４数字入力キー５４と、第５数字入力キー５５と、第６数字入力キー５６と、第７数字入力キー５７と、第８数字入力キー５８と、第９数字入力キー５９と、第１０数字入力キー６０と、を有している。
【００２２】
第１数字入力キー５１は、数字の１が印字されており、ユーザによって押圧されることで、１が入力される。第１数字入力キー５１は、全ての数字入力キー５０のうちで、最も方向Ｘ１側であって方向Ｙ１側に位置しており、言い換えれば、最も方向Ｘ１側の第１列であって、最も方向Ｙ１側の第１行に位置している。第２数字入力キー５２は、数字の２が印字されており、ユーザによって押圧されることで、２が入力される。第２数字入力キー５２は、第１数字入力キー５１に対し、方向Ｘ２側に隣接している。すなわち、第２数字入力キー５２は、第１列に対して方向Ｘ２側に隣接する第２列であって、第１行に位置している。第３数字入力キー５３は、数字の３が印字されており、ユーザによって押圧されることで、３が入力される。第３数字入力キー５３は、第２数字入力キー５２に対し、方向Ｘ２側に隣接している。すなわち、第３数字入力キー５３は、第２列に対して方向Ｘ２側に隣接する第３列であって、第１行に位置している。
【００２３】
第４数字入力キー５４は、数字の４が印字されており、ユーザによって押圧されることで、４が入力される。第４数字入力キー５４は、第１数字入力キー５１に対し、方向Ｙ２側に隣接している。すなわち、第４数字入力キー５４は、第１列であって、第１行に対して方向Ｙ２側に隣接する第２行に位置している。第５数字入力キー５５は、数字の５が印字されており、ユーザによって押圧されることで、５が入力される。第５数字入力キー５５は、第２数字入力キー５２に対し方向Ｙ２側に隣接し、かつ、第４数字入力キー５４に対し方向Ｘ２側に隣接している。すなわち、第５数字入力キー５５は、第２列であって、第２行に位置している。第６数字入力キー５６は、数字の６が印字されており、ユーザによって押圧されることで、６が入力される。第６数字入力キー５６は、第３数字入力キー５３に対し方向Ｙ２側に隣接し、かつ、第５数字入力キー５５に対し方向Ｘ２側に隣接している。すなわち、第６数字入力キー５６は、第３列であって、第２行に位置している。
【００２４】
第７数字入力キー５７は、数字の７が印字されており、ユーザによって押圧されることで、７が入力される。第７数字入力キー５７は、第４数字入力キー５４に対し、方向Ｙ２側に隣接している。すなわち、第７数字入力キー５７は、第１列であって、第２行に対して方向Ｙ２側に隣接する第３行に位置している。第８数字入力キー５８は、数字の８が印字されており、ユーザによって押圧されることで、８が入力される。第８数字入力キー５８は、第５数字入力キー５５に対し方向Ｙ２側に隣接し、かつ、第７数字入力キー５７に対し方向Ｘ２側に隣接している。すなわち、第８数字入力キー５８は、第２列であって、第３行に位置している。第９数字入力キー５９は、数字の９が印字されており、ユーザによって押圧されることで、９が入力される。第９数字入力キー５９は、第６数字入力キー５６に対し方向Ｙ２側に隣接し、かつ、第８数字入力キー５８に対し方向Ｘ２側に隣接している。すなわち、第９数字入力キー５９は、第３列であって、第３行に位置している。
【００２５】
このように、第１数字入力キー５１から第９数字入力キー５９は、印字されている数字が大きいほど、方向Ｘ２側又は方向Ｙ２側に位置するように並んでおり、さらに言えば、印字された数字が大きくなるに従って、第１行第１列、第１行第２列、第１行第３列、第２行第１列、第２行第２列、第２行第３列、第３行第１列、第３行第２列、第３行第３列の順で、並んでいる。
【００２６】
第１０数字入力キー６０は、数字の０が印字されており、ユーザによって押圧されることで、０が入力される。第１０数字入力キー６０は、第２入力部１４において、第１数字入力キー５１から第９数字入力キー５９よりも、方向Ｙ２側に位置している。さらに言えば、第１０数字入力キー６０は、第８数字入力キー５８に対し方向Ｙ２側に隣接しており、第２列であって、第３行に対して方向Ｙ２側に隣接する第４行に位置している。ただし、第１０数字入力キー６０は、第１数字入力キー５１から第９数字入力キー５９よりも方向Ｙ２側に位置していれば、第２列に位置していることに限られず、例えば第１列や第３列に位置していてもよい。
【００２７】
また、補助入力キー７０も、第２入力部１４において、数字入力キー５０と一緒に行列状に配置されている。本実施形態において、補助入力キー７０は、補助入力キー７１と補助入力キー７２との、２つ設けられている。補助入力キー７１は、記号の＊が印字されており、ユーザによって押圧されることで、＊が入力される。補助入力キー７１は、第２入力部１４において、第１数字入力キー５１から第９数字入力キー５９よりも、方向Ｙ２側に位置している。さらに言えば、補助入力キー７１は、第７数字入力キー５７に対し方向Ｙ２側に隣接し、第１０数字入力キー６０に対し方向Ｘ１側に隣接している。すなわち、補助入力キー７１は、第１列であって、第４行に位置している。補助入力キー７２は、記号の＃が印字されており、ユーザによって押圧されることで、＃が入力される。補助入力キー７２は、第２入力部１４において、第１数字入力キー５１から第９数字入力キー５９よりも、方向Ｙ２側に位置している。さらに言えば、補助入力キー７２は、第９数字入力キー５９に対し方向Ｙ２側に隣接し、第１０数字入力キー６０に対し方向Ｘ２側に隣接している。すなわち、補助入力キー７２は、第３列であって、第４行に位置している。
【００２８】
なお、補助入力キー７１と補助入力キー７２とは、数字以外の記号が印字されており、入力によって数字以外の入力がなされるものであればよく、それぞれ＊と＃と印字され、押圧により＊と＃とが入力されるものに限られない。また、補助入力キー７０の数は任意である。また、携帯端末１は、補助入力キー７０を必ずしも有していなくてよい。
【００２９】
数字入力キー５０及び補助入力キー７０は、このような順番で並んでいるが、並び順はこれに限られない。例えば、数字入力キー５０は、キーボードでのテンキーの配列のように、第１行第１列、第１行第２列、第１行第３列、第２行第１列、第２行第２列、・・・の順で、第７数字入力キー５７、第８数字入力キー５８、第９数字入力キー５９、第４数字入力キー５４、第５数字入力キー５５、第６数字入力キー５６、第１数字入力キー５１、第２数字入力キー５２、第３数字入力キー５３、第１０数字入力キー６０が並んでいてもよい。
【００３０】
表示部１６は、筐体１０の表面１０Ａに設けられており、例えば液晶パネルなどの表示画面である。表示部１６は、無線通信に用いている周波数など各種情報を表示する。表示部１６は、時刻情報については表示しないが、時刻情報を表示可能であってもよい。表示部１６は、第１入力部１２よりも方向Ｙ１側に位置しているが、第１入力部１２との位置関係は任意である。また、携帯端末１は、表示部１６を有していなくてもよい。
【００３１】
音声入力部１８は、筐体１０の表面１０Ａに設けられており、ユーザからの音声が入力されるマイクである。音声入力部１８は、第１入力部１２よりも方向Ｙ１側であって表示部１６よりも方向Ｙ２側に位置しているが、設けられる位置は任意である。
【００３２】
音声出力部２０は、筐体１０の表面１０Ａに設けられており、無線通信により受信した音声が出力されるスピーカである。音声出力部２０は、第２入力部１４よりも方向Ｙ２側に位置しているが、設けられる位置は任意である。
【００３３】
ＰＴＴスイッチ２２は、筐体１０の側面１０Ｂに設けられている。側面１０Ｂは、表面１０Ａの方向Ｘ１側の側面である。ＰＴＴスイッチ２２は、携帯端末１から音声などの情報を発信するときに、ユーザによって操作されるボタンである。ユーザがＰＴＴスイッチ２２を操作することで、ＰＴＴ信号が送信される。ＰＴＴ信号は、送信開始を示す制御信号である。なお、ＰＴＴスイッチ２２は、ユーザによって操作指示される形状であればよく、ボタン状の構造に限られない。また、ＰＴＴスイッチ２２の設けられる位置も、側面１０Ｂに限られず任意である。
【００３４】
調整入力部２６は、筐体１０の上面１０Ｃに設けられている。上面１０Ｃは、表面１０Ａの方向Ｙ１側の側面である。調整入力部２６は、音声出力部２０から出力される音声の音量を調整するレバーである。また、調整入力部２６は、無線通信の周波数を変更するレバーを備えていてもよい。アンテナ２８は、筐体１０の上面１０Ｃに設けられている。携帯端末１は、アンテナ２８を介して、外部と無線通信を行う。
【００３５】
発光部８０は、筐体１０の内部に設けられ、後述の制御部９０の制御によって発光するバックライトである。発光部８０は、例えばＬＥＤ（Light  Emitting  Diode）である。発光部８０は、複数の入力キー４０、複数の数字入力キー５０、及び複数の補助入力キー７０の背面側（方向Ｚ１と反対方向側）にそれぞれ設けられている。発光部８０は、発光することにより、入力キー４０、数字入力キー５０、及び補助入力キー７０を背面から照光して、入力キー４０、数字入力キー５０、及び補助入力キー７０を点灯させる。言い換えれば、発光部８０は、入力キー４０、数字入力キー５０、及び補助入力キー７０に発光した光を背面から照射し、入力キー４０、数字入力キー５０、及び補助入力キー７０は、発光部８０から照射された光により、点灯される。発光部８０は、複数の入力キー４０、複数の数字入力キー５０、及び複数の補助入力キー７０のそれぞれに対して個別に設けられているため、複数の入力キー４０、複数の数字入力キー５０、及び複数の補助入力キー７０のそれぞれを、個別に点灯させることが可能となっている。以下、発光部８０のうち、入力キー４０の背面に設けられて入力キー４０を点灯させる発光部を、適宜、第１発光部８１と記載する。また、発光部８０のうち、数字入力キー５０又は補助入力キー７０の背面に設けられて数字入力キー５０又は補助入力キー７０を点灯させる発光部を、適宜、第２発光部８２と記載する。
【００３６】
携帯端末１は、ユーザからの入力を受け付ける入力部として、上記のように、入力キー４０、数字入力キー５０、補助入力キー７０、ＰＴＴスイッチ２２、及び調整入力部２６を有している。ただし、携帯端末１は、これら以外にも、ユーザの入力を受け付ける入力部を有していてもよい。例えば、携帯端末１は、入力部として、携帯端末１の電源のオンとオフとを切り替える電源ボタンなどを有していてもよいし、任意の機能が割り当てられたボタンを有していてもよい。
【００３７】
図２は、本実施形態に係る携帯端末の模式的な機能ブロック図である。図２に示すように、携帯端末１は、筐体１０の内部に、発光部８０と、制御部９０と、通信部９２と、記憶部９４とを有する。制御部９０は、演算装置、すなわちＣＰＵ（Ｃｅｎｔｒａｌ  Ｐｒｏｃｅｓｓｉｎｇ  Ｕｎｉｔ）である。制御部９０は、通信部９２を制御して無線通信を制御するとともに、発光部８０の発光を制御することで、第１入力部１２及び第２入力部１４に、時刻情報を表示させる。制御部９０は、時刻情報取得部１００と、第１発光制御部１０２と、第２発光制御部１０４と、通信制御部１０６とを有する。時刻情報取得部１００と、第１発光制御部１０２と、第２発光制御部１０４と、通信制御部１０６は、記憶部９４に記憶されたソフトウェア（プログラム）を読み出し、ＣＰＵで所定の処理を行うことで、後述する処理を実行する。
【００３８】
時刻情報取得部１００は、時刻情報、すなわち現在の時刻を取得する。時刻情報取得部１００は、記憶部９４が時刻を記憶している場合に、記憶部９４から時刻情報を取得してもよいし、外部と通信を行うことで時刻情報を取得してもよい。
【００３９】
第１発光制御部１０２は、第１入力部１２及び第２入力部１４に時刻情報を表示させる際、すなわち時刻表示モードにおいて、時刻情報取得部１００が取得した時刻情報に基づき第１発光部８１の発光を制御することで、複数の入力キー４０のうちの一部を点灯させる。第１発光制御部１０２は、このようにして入力キー４０の一部を点灯させることで、第１入力部１２に、現在時刻の時分のうちの時を表示させる。第１発光制御部１０２による時表示の制御の詳細は、後述する。なお、第１発光制御部１０２は、時刻表示モードでない場合においては、例えば携帯端末１のいずれかの入力部の入力を受けると、入力キー４０の全てを点灯させてもよい。
【００４０】
第２発光制御部１０４は、時刻表示モードにおいて、時刻情報取得部１００が取得した時刻情報に基づき第２発光部８２の発光を制御することで、複数の数字入力キー５０のうちの一部を点灯させる。第２発光制御部１０４は、数字入力キー５０の一部を点灯させることで、第２入力部１４に、現在時刻の時分のうちの分を表示させる。また、第２発光制御部１０４は、補助入力キー７０についても、必要に応じて点灯させる。第２発光制御部１０４による分表示の制御の詳細は、後述する。なお、第２発光制御部１０４は、時刻表示モードでない場合においては、例えば携帯端末１のいずれかの入力部の入力を受けると、数字入力キー５０及び補助入力キー７０の全てを点灯させてもよい。
【００４１】
通信制御部１０６は、通信部９２を制御することで、外部機器と無線通信を行う。通信部９２は、通信制御部１０６の制御により、外部機器と無線通信を行うよう構成される。すなわち、通信部９２は、無線通信を行うための通信インターフェイスである。
【００４２】
記憶部９４は、制御部９０の演算内容などの各種情報を記憶するメモリである。記憶部９４は、例えば、ＲＡＭ（Ｒａｎｄｏｍ  Ａｃｃｅｓｓ  Ｍｅｍｏｒｙ）と、ＲＯＭ（Ｒｅａｄ  Ｏｎｌｙ  Ｍｅｍｏｒｙ）と、フラッシュメモリ（Ｆｌａｓｈ  Ｍｅｍｏｒｙ）などの外部記憶装置との、少なくとも１つを含む。
【００４３】
携帯端末１は、以上説明した構成となっている。以下、携帯端末１による時刻表示の方法について説明する。図３は、本実施形態における時刻表示方法を説明するフローチャートである。図３に示すように、制御部９０は、時刻を表示するかを判断する（ステップＳ１０）。制御部９０は、例えば、ユーザから所定の入力部に入力があった場合に、時刻を表示すると判断してよい。この場合、いずれかの入力部に、時刻表示を行うトリガとなる機能を割り当てておき、制御部９０は、この入力部への入力を検知することで、時刻を表示すると判断する。また、時刻を表示するためのトリガは、入力部への入力に限られず任意である。例えば、無線通信によって外部機器から電波を受信したことをトリガとしてもよいし、無線通信によって外部機器に電波を送信することをトリガとしてもよいし、所定時刻が到来したり所定時間が経過したりすることをトリガとしてもよい。
【００４４】
時刻を表示しないと判断した場合（ステップＳ１０；Ｎｏ）、ステップＳ１０に戻り、時刻を表示するか否かの判断を続ける。時刻を表示すると判断した場合（ステップＳ１０；Ｙｅｓ）、制御部９０は、時刻表示モードに切り替えて、時刻情報取得部１００により、現在時刻を時刻情報として取得する（ステップＳ１２）。
【００４５】
時刻情報を取得したら、制御部９０は、第１発光制御部１０２により、時刻情報のうち時を示す情報に基づき第１発光部８１を発光させることで、複数の入力キー４０のうち一部を点灯させて、現在時刻の時分のうちの時を表示させる（ステップＳ１４）。また、時刻情報を取得したら、制御部９０は、第２発光制御部１０４により、時刻情報のうち分を示す情報に基づき第２発光部８２を発光させることで、複数の数字入力キー５０のうち一部を点灯させて、現在時刻の時分のうちの分を表示させる（ステップＳ１６）。なお、制御部９０は、ステップＳ１４、Ｓ１６を同時に実行して、入力キー４０の一部と数字入力キー５０の一部とを同時に点灯させる。制御部９０は、時を示す入力キー４０の一部と、分を示す数字入力キー５０の一部とを同時に点灯させた状態を、所定時間保つ。ここでの所定時間は、例えば１秒など任意の時間であってよい。なお、点灯させている状態を保っている間に現在時刻の時分が変わった場合、制御部９０は、点灯させる入力キー４０や数字入力キー５０を切り替える。ステップＳ１４、Ｓ１６の実行により、時刻表示処理は終了する。
【００４６】
以下、第１発光制御部１０２による時の表示方法について、具体的に説明する。図１に示すように、入力キー４０は、所定位置Ｐを中心とした周方向の異なる位置に配置されている。発明者は、このような入力キー４０の位置を、アナログ時計の文字盤又は短針の位置に模すことで、時表示が可能であることを想起した。すなわち、発明者は、所定位置Ｐをアナログ時計の中心点と想定した場合に、短針の周方向における位置に対応する位置にある入力キー４０を点灯させることで、時分のうちの時を表現可能であることを想起した。具体的には、本実施形態における第１発光制御部１０２は、複数の入力キー４０のうち、時を示す際のアナログ時計の短針の位置に周方向において対応する１つ又は２つの入力キー４０を点灯させることで、第１入力部１２に時分のうちの時を表示させる。以下、より詳しく説明する。
【００４７】
図４は、時の表示を説明する図である。図４は、第１入力部１２が、１時から１２時のそれぞれを表現する場合の模式図である。第１発光制御部１０２は、時刻情報取得部１００が取得した現在時刻の時分のうちの時が１時である場合、図４の（Ａ）に示すように入力キー４０を発光させる。すなわち、第１発光制御部１０２は、現在時刻の時が１時である場合、第１発光部８１のうち、上入力キー４１を照光する発光部（上入力キー４１の背面にある発光部）と右上入力キー４６を照光する発光部（右上入力キー４６の背面にある発光部）とを、同時に発光させ、第１発光部８１のうち他の発光部は発光させない。これにより、第１入力部１２は、上入力キー４１と右上入力キー４６とを同時に点灯させ、他の入力キー４０を点灯させない。上入力キー４１と右上入力キー４６とは、アナログ時計Ｃにおける短針又は文字盤の１時の位置に対応する位置にあるといえる。従って、第１入力部１２は、上入力キー４１と右上入力キー４６とを点灯させることにより、時分のうちの時が１時であることを表示することになる。なお、図４におけるアナログ時計Ｃは、説明の便宜上記載したもので、携帯端末１に含まれるものではない。
【００４８】
また、図４の（Ｂ）に示すように、第１発光制御部１０２は、現在時刻の時が２時である場合、第１発光部８１のうち、右入力キー４２を照光する発光部と右上入力キー４６を照光する発光部とを同時に発光させ、第１発光部８１のうち他の発光部は発光させない。これにより、第１入力部１２は、右入力キー４２と右上入力キー４６とを同時に点灯させ、他の入力キー４０を点灯させない。第１入力部１２は、右入力キー４２と右上入力キー４６とを点灯させることにより、時分のうちの時が２時であることを表示する。
【００４９】
また、図４の（Ｃ）に示すように、第１発光制御部１０２は、現在時刻の時が３時である場合、第１発光部８１のうち、右入力キー４２を照光する発光部を発光させ、第１発光部８１のうち他の発光部は発光させない。これにより、第１入力部１２は、右入力キー４２を点灯させ、他の入力キー４０を点灯させない。第１入力部１２は、右入力キー４２を点灯させることにより、時分のうちの時が３時であることを表示する。
【００５０】
また、図４の（Ｄ）に示すように、第１発光制御部１０２は、現在時刻の時が４時である場合、第１発光部８１のうち、右入力キー４２を照光する発光部と右下入力キー４７を照光する発光部とを同時に発光させ、第１発光部８１のうち他の発光部は発光させない。これにより、第１入力部１２は、右入力キー４２と右下入力キー４７とを同時に点灯させ、他の入力キー４０を点灯させない。第１入力部１２は、右入力キー４２と右下入力キー４７とを点灯させることにより、時分のうちの時が４時であることを表示する。
【００５１】
また、図４の（Ｅ）に示すように、第１発光制御部１０２は、現在時刻の時が５時である場合、第１発光部８１のうち、下入力キー４３を照光する発光部と右下入力キー４７を照光する発光部とを同時に発光させ、第１発光部８１のうち他の発光部は発光させない。これにより、第１入力部１２は、下入力キー４３と右下入力キー４７とを同時に点灯させ、他の入力キー４０を点灯させない。第１入力部１２は、下入力キー４３と右下入力キー４７とを点灯させることにより、時分のうちの時が５時であることを表示する。
【００５２】
また、図４の（Ｆ）に示すように、第１発光制御部１０２は、現在時刻の時が６時である場合、第１発光部８１のうち、下入力キー４３を照光する発光部を発光させ、第１発光部８１のうち他の発光部は発光させない。これにより、第１入力部１２は、下入力キー４３を点灯させ、他の入力キー４０を点灯させない。第１入力部１２は、下入力キー４３を点灯させることにより、時分のうちの時が６時であることを表示する。
【００５３】
また、図４の（Ｇ）に示すように、第１発光制御部１０２は、現在時刻の時が７時である場合、第１発光部８１のうち、下入力キー４３を照光する発光部と左下入力キー４８を照光する発光部とを同時に発光させ、第１発光部８１のうち他の発光部は発光させない。これにより、第１入力部１２は、下入力キー４３と左下入力キー４８とを同時に点灯させ、他の入力キー４０を点灯させない。第１入力部１２は、下入力キー４３と左下入力キー４８とを点灯させることにより、時分のうちの時が７時であることを表示する。
【００５４】
また、図４の（Ｈ）に示すように、第１発光制御部１０２は、現在時刻の時が８時である場合、第１発光部８１のうち、左入力キー４４を照光する発光部と左下入力キー４８を照光する発光部とを同時に発光させ、第１発光部８１のうち他の発光部は発光させない。これにより、第１入力部１２は、左入力キー４４と左下入力キー４８とを同時に点灯させ、他の入力キー４０を点灯させない。第１入力部１２は、左入力キー４４と左下入力キー４８とを点灯させることにより、時分のうちの時が８時であることを表示する。
【００５５】
また、図４の（Ｉ）に示すように、第１発光制御部１０２は、現在時刻の時が９時である場合、第１発光部８１のうち、左入力キー４４を照光する発光部を発光させ、第１発光部８１のうち他の発光部は発光させない。これにより、第１入力部１２は、左入力キー４４を点灯させ、他の入力キー４０を点灯させない。第１入力部１２は、左入力キー４４を点灯させることにより、時分のうちの時が９時であることを表示する。
【００５６】
また、図４の（Ｊ）に示すように、第１発光制御部１０２は、現在時刻の時が１０時である場合、第１発光部８１のうち、左入力キー４４を照光する発光部と左上入力キー４９を照光する発光部とを同時に発光させ、第１発光部８１のうち他の発光部は発光させない。これにより、第１入力部１２は、左入力キー４４と左上入力キー４９とを同時に点灯させ、他の入力キー４０を点灯させない。第１入力部１２は、左入力キー４４と左上入力キー４９とを点灯させることにより、時分のうちの時が１０時であることを表示する。
【００５７】
また、図４の（Ｋ）に示すように、第１発光制御部１０２は、現在時刻の時が１１時である場合、第１発光部８１のうち、上入力キー４１を照光する発光部と左上入力キー４９を照光する発光部とを同時に発光させ、第１発光部８１のうち他の発光部は発光させない。これにより、第１入力部１２は、上入力キー４１と左上入力キー４９とを同時に点灯させ、他の入力キー４０を点灯させない。第１入力部１２は、上入力キー４１と左上入力キー４９とを点灯させることにより、時分のうちの時が１１時であることを表示する。
【００５８】
また、図４の（Ｌ）に示すように、第１発光制御部１０２は、現在時刻の時が１２時（０時）である場合、第１発光部８１のうち、上入力キー４１を照光する発光部を発光させ、第１発光部８１のうち他の発光部は発光させない。これにより、第１入力部１２は、上入力キー４１を点灯させ、他の入力キー４０を点灯させない。第１入力部１２は、上入力キー４１を点灯させることにより、時分のうちの時が１２時（０時）であることを表示する。
【００５９】
このように、第１発光制御部１０２は、１つの入力キー４０を点灯させる場合、ここでは０時、３時、６時、９時の場合、上入力キー４１、右入力キー４２、下入力キー４３、及び左入力キー４４のうちの１つを点灯させる。また、第１発光制御部１０２は、２つの入力キー４０を点灯させる場合、ここでは１時、２時、４時、５時、７時、８時、１０時、１１時の場合、上入力キー４１、右入力キー４２、下入力キー４３、及び左入力キー４４のうちの１つと、右上入力キー４６、右下入力キー４７、左下入力キー４８、及び左上入力キー４９のうちの１つとを、同時に点灯させる。このように、８つの入力キー４０のうち、１つか２つを点灯させることで、１時から１２時を表現可能となる。
【００６０】
次に、第２発光制御部１０４による分の表示方法について、具体的に説明する。図５は、本実施形態における分の表示方法を説明するフローチャートである。図６から図１０は、分の表示例を説明する図である。図５に示すフローチャートは、図３に示すステップＳ１６の詳細な内容を示している。図５に示すように、第２発光制御部１０４は、時刻情報取得部１００が取得した時刻情報から、現在時刻の時分のうちの分の情報を取得して、分の１０の位の数字と１の位の数字とを取得する（ステップＳ２０）。分の１０の位の数字と１の位の数字とを取得したら、第２発光制御部１０４は、１０の位の数字と１の位の数字とが異なるかを判断する（ステップＳ２２）。
【００６１】
現在時刻の分の１０の位の数字と１の位の数字とが異ならない場合、すなわち１０の位の数字と１の位の数字とが同じ場合（ステップＳ２２；Ｎｏ）、第２発光制御部１０４は、１０の位の数字と１の位の数字との両方に対応する１つの数字入力キー５０を点灯させる（ステップＳ２４）。すなわち、第２発光制御部１０４は、第２発光部８２のうち、１０の位の数字及び１の位の数字と同じ数字が印字された１つの数字入力キー５０を照光する発光部を発光させ、第２発光部８２のうち他の発光部は点灯させない。これにより、第２入力部１４は、１つの数字入力キー５０を点灯させ、他の数字入力キー５０及び補助入力キー７０を点灯させない。第２入力部１４は、１つの数字入力キー５０のみを点灯させることで、点灯させた数字入力キー５０に印字された数字が１０の位であって１の位である数を、時分のうちの分であると表示する。例えば、図６は、現在時刻が１時５５分である場合の点灯状態を示している。図６に示すように、例えば現在時刻が１時５５分である場合、第１入力部１２は、上入力キー４１と右上入力キー４６とを同時に点灯させることで、時分のうちの時が１時であることを表示している。そして、第２入力部１４は、上入力キー４１及び右上入力キー４６の点灯と同時に、第５数字入力キー５５のみを点灯させている。これにより、第２入力部１４は、時分のうちの分が、１０の位及び１の位が５となる数、すなわち５５分であることを表示する。
【００６２】
現在時刻の分の１０の位の数字と１の位の数字とが異なる場合（ステップＳ２２；Ｙｅｓ）、第２発光制御部１０４は、１０の位の数字または１の位の数字が０であるかを判断する（ステップＳ２６）。１０の位の数字と１の位の数字とが共に０以外の場合（ステップＳ２６；Ｎｏ）、第２発光制御部１０４は、現在時刻の分の１０の位の数字が１の位の数字より小さいかを判断する（ステップＳ２８）。
【００６３】
現在時刻の分の１０の位の数字が１の位の数字より小さい場合（ステップＳ２８；Ｙｅｓ）、第２発光制御部１０４は、現在時刻の分の１０の位の数字と１の位の数字に対応する２つの数字入力キー５０を点灯させる（ステップＳ３０）。すなわち、第２発光制御部１０４は、現在時刻の分の１０の位の数字が印字された数字入力キー５０と、現在時刻の分の１の位の数字が印字された数字入力キー５０とを点灯させる。より詳しくは、第２発光制御部１０４は、第２発光部８２のうち、１０の位の数字及び１の位の数字と同じ数字が印字された２つの数字入力キー５０を照光する発光部を発光させ、第２発光部８２のうち他の発光部は発光させない。これにより、第２入力部１４は、２つの数字入力キー５０を点灯させ、他の数字入力キー５０及び補助入力キー７０を点灯させない。第２入力部１４は、数字入力キー５０及び補助入力キー７０のうち、２つの数字入力キー５０のみを点灯させることで、点灯させた数字入力キー５０のうちの小さい方の数字を１０の位とし、点灯させた数字入力キー５０のうちの大きい方の数字を１の位とした数が、時分のうちの分であると表示する。例えば、図７は、現在時刻が１時２５分である場合の点灯状態を示している。図７に示すように、例えば現在時刻が１時２５分である場合、第２入力部１４は、第２数字入力キー５２及び第５数字入力キー５５のみを点灯させることで、時分のうちの分が、１０の位が小さい方の数字である２で、１の位が大きい方の数字である５となる数、すなわち２５分であることを表示する。
【００６４】
図５に戻り、現在時刻の分の１０の位の数字が１の位の数字より小さくない場合（ステップＳ２８；Ｎｏ）、すなわち１０の位の数字が１の位の数字より大きい場合、第２発光制御部１０４は、現在時刻の分の１０の位の数字と１の位の数字に対応する２つの数字入力キー５０と、補助入力キー７０とを点灯させる（ステップＳ３２）。すなわち、第２発光制御部１０４は、現在時刻の分の１０の位の数字が印字された数字入力キー５０と、現在時刻の分の１の位の数字が印字された数字入力キー５０と、補助入力キー７０とを点灯させる。より詳しくは、第２発光制御部１０４は、第２発光部８２のうち、１０の位の数字及び１の位の数字と同じ数字が印字された２つの数字入力キー５０を照光する発光部と、補助入力キー７０を発光させる発光部とを発光させ、第２発光部８２のうち他の発光部は点灯させない。これにより、第２入力部１４は、２つの数字入力キー５０と補助入力キー７０とを点灯させ、他の数字入力キー５０を点灯させない。第２入力部１４は、２つの数字入力キー５０と補助入力キー７０とを点灯させることで、点灯させた数字入力キー５０のうちの大きい方の数字を１０の位とし、点灯させ数字入力キー５０のうちの小さい方の数字を１の位とした数が、時分のうちの分であると表示する。例えば、図８は、現在時刻が１時５２分である場合の点灯状態を示している。図８に示すように、例えば現在時刻が１時５２分である場合、第２入力部１４は、第２数字入力キー５２及び第５数字入力キー５５と、補助入力キー７２とを点灯させることで、時分のうちの分が、１０の位が大きい方の数字である５で、１の位が大きい方の数字である２となる数、すなわち５２分であることを表示する。
【００６５】
このように、現在時刻の分の１０の位の数字と１の位の数字とが異なる際に、２つの数字入力キー５０を同時に点灯させると、どちらの数字入力キー５０が１０の位を示しているかを、ユーザが確認できなくなるおそれがある。それに対し、第２発光制御部１０４は、現在時刻の分の１０の位の数字と１の位の数字とが０でない場合において、１０の位の数字の方が小さい際に補助入力キー７２を点灯させず、１０の位の数字の方が大きい際に補助入力キー７２を点灯させることで、どちらの数字入力キー５０が１０の位を示しているかを確認可能としている。すなわち、第２発光制御部１０４は、１０の位の数字と１の位の数字との大小関係に応じて、補助入力キー７２の点灯と非点灯とを切り替えることで、数字入力キー５０が１０の位を示しているかをユーザに認識させることができる。なお、第２発光制御部１０４は、分において１０の位の数字が１の位の数字より大きい場合、又は、１０の位の数字が１の位の数字より小さい場合のいずれか一方において、それらの数字に対応する２つの数字入力キー５０と共に、補助入力キー７２を点灯させればよい。すなわち、上記説明とは逆に、１０の位の数字が１の位の数字より小さい場合に補助入力キー７２を点灯させて、１０の位の数字が１の位の数字より大きい場合に補助入力キー７２を非点灯としてもよい。
【００６６】
また、本実施形態では、数字入力キー５０は、１から９まで、印字されている数字が大きくなるに従って、第１行第１列、第１行第２列、第１行第３列、第２行第１列、第２行第２列、・・・の順で並んでいる。そして、ユーザは、一般的に、第１行第１列、第１行第２列、第１行第３列、第２行第１列、第２行第２列、・・・の順で、数字入力キー５０を点灯させているかを確認する傾向にある。従って、ユーザは、数値が小さい方の数字入力キー５０が点灯されていることを先に視認し、数値が大きい方の数字入力キー５０が点灯されていることを後で視認する。従って、例えば図７に示すように、現在時刻の分の１０の位の方が小さい場合、ユーザは、先に確認した数字入力キー５０（図７では２を示す第２数字入力キー５２）の数字が１０の位であり、後で確認した数字入力キー５０（図７では５を示す第５数字入力キー５５）の数字が１の位であることを、違和感なく容易に認識することができる。一方、例えば図８に示すように、現在時刻の分の１０の位の方が大きい場合、ユーザは、数字入力キー５０の点灯を視認した後に、それよりも後に並んでいる補助入力キー７２が点灯されていることを視認する。ユーザは、補助入力キー７２の点灯を視認することで注意を促されるため、後で確認した数字入力キー５０（図８では５を示す第５数字入力キー５５）が１０の位であり、先に確認した数字入力キー５０（図８では２を示す第２数字入力キー５２）が１の位であること、すなわち並びが逆であることを、容易に認識することができる。言い換えれば、第２発光制御部１０４は、所定の順番（ここでは第１行第１列、第１行第２列、第１行第３列、第２行第１列、第２行第２列、・・・の順）で見た場合の数字入力キー５０に印字された数字の並び（ここでは１から９）と、分の１０の位の数字と１の位の数字との並びと、が同じである場合は、補助入力キー７２を点灯させず、所定の順番で見た場合の数字入力キー５０に印字された数字の並びと、分の１０の位の数字と１の位の数字との並びとが逆である場合は、注意を促すために、補助入力キー７２を点灯させるといえる。
【００６７】
図５に戻り、現在時刻の分の１０の位の数字または１の位の数字が０である場合（ステップＳ２６；Ｙｅｓ）、第２発光制御部１０４は、現在時刻の分の１０の位の数字が１の位の数字より小さいかを判断する（ステップＳ３４）。現在時刻の分の１０の位の数字が１の位の数字より小さい場合（ステップＳ３４；Ｙｅｓ）、第２発光制御部１０４は、現在時刻の分の１０の位の数字と１の位の数字に対応する２つの数字入力キー５０と、補助入力キー７０とを点灯させる（ステップＳ３２）。例えば、図９は、現在時刻が１時０５分である場合の点灯状態を示している。図９に示すように、例えば現在時刻が１時０５分である場合、第２入力部１４は、第５数字入力キー５５及び第１０数字入力キー６０と、補助入力キー７２とを点灯させることで、時分のうちの分が、１０の位が小さい方の数字である０で、１の位が大きい方の数字である５となる数、すなわち０５分であることを表示する。
【００６８】
図５に戻り、現在時刻の分の１０の位の数字が１の位の数字より小さくない場合（ステップＳ３４；Ｎｏ）、すなわち１０の位の数字が１の位の数字より大きい場合、第２発光制御部１０４は、現在時刻の分の１０の位の数字と１の位の数字に対応する２つの数字入力キー５０を点灯させる（ステップＳ３０）。例えば、図１０は、現在時刻が１時５０分である場合の点灯状態を示している。図１０に示すように、例えば現在時刻が１時５０分である場合、第２入力部１４は、第５数字入力キー５５及び第１０数字入力キー６０のみを点灯させることで、時分のうちの分が、１０の位が大きい方の数字である５で、１の位が小さい方の数字である０となる数値、すなわち５０分であることを表示する。
【００６９】
このように、第２発光制御部１０４は、１０の位と１の位とのいずれかが０である場合、１０の位と１の位との両方が０でない場合に対し、ステップＳ３０とステップＳ３２に進む場合の判断基準を、逆にする。０は、１から９よりも小さい数字であるが、０が印字された第１０数字入力キー６０は、１から９が印字された数字入力キー５０よりも、数字入力キー５０の並び順の後段側にある。従って、１０の位と１の位とのいずれかが０である場合、１０の位と１の位とが０でない場合とは逆に、１０の位の数字の方が小さい際（１０の位が０である場合）に補助入力キー７２を点灯させて、１０の位の数字の方が大きい際（１の位が０である場合）に補助入力キー７２を点灯させない。すなわち、この場合でも、第２発光制御部１０４は、所定の順番（ここでは第１行第１列、第１行第２列、第１行第３列、第２行第１列、第２行第２列、・・・の順）で見た場合の数字入力キー５０に印字された数字の並び（ここでは１から０）と、分の１０の位の数字と１の位の数字との並びと、が同じである場合は、補助入力キー７２を点灯させず、所定の順番で見た場合の数字入力キー５０に印字された数字の並びと、分の１０の位の数字と１の位の数字との並びとが逆である場合は、補助入力キー７２を点灯させているといえる。ステップＳ２４、Ｓ３０、Ｓ３２のいずれかを実行することで、分の表示処理は終了する。
【００７０】
以上説明したように、本実施形態に係る携帯端末１は、筐体１０と、第１入力部１２と、第２入力部１４と、発光部８０と、制御部９０とを有する。第１入力部１２は、筐体１０の表面１０Ａに設けられ、表面１０Ａ上の所定位置Ｐを中心とした周方向において異なる位置に設けられた複数の入力キー４０を有する、第２入力部１４は、表面１０Ａに設けられ、互いに異なる数字が表示されている複数の数字入力キー５０を有する。発光部８０は、入力キー４０及び数字入力キー５０のそれぞれを点灯させる。制御部９０は、発光部８０による発光を制御する。また、制御部９０は、発光部８０に、取得した時刻情報に基づき複数の入力キー４０の一部を点灯させることで、第１入力部１２に時分のうちの時を表示させる。そして、制御部９０は、入力キー４０の点灯と同時に、発光部８０に、時刻情報に基づき複数の数字入力キー５０の一部を点灯させることで、第２入力部１４に時分のうちの分を表示させる。
【００７１】
携帯端末１は、表示部１６を有するため、表示部１６に時刻を表示することは可能であるが、表示部１６が小さい場合や、表示部１６を有さない場合などにおいては、時刻を確認することが難しくなるおそれがある。また、音声で時刻を通知することも考えられるが、特に無線機器である場合、通信時などに音声が邪魔となったり、通信の音声に時刻通知の音声が混ざり、容易に時刻を確認できなくなったりするおそれもある。それに対し、本実施形態に係る携帯端末１は、周方向に異なる位置に設けられた複数の入力キー４０の一部を点灯させ、入力キー４０の点灯と同時に複数の数字入力キー５０の一部を点灯させることで、時分の表示を行う。入力キー４０及び数字入力キー５０は、ユーザが入力可能な程度の大きさを占めているため、ユーザが容易に視認可能であるため、この携帯端末１によると、時刻を容易に確認することができる。さらに、本実施形態に係る携帯端末１は、時を示す入力キー４０の点灯と分を示す数字入力キー５０の点灯とを同時に行うため、一見して時分の確認が可能となる。従って、この携帯端末１によると、例えば数字入力キー５０を順番に点灯させて時分を表示させるものよりも、時刻を容易に確認することができる。
【００７２】
また、第１入力部１２は、周方向に異なる位置に少なくとも８つの入力キー４０を有している。制御部９０は、それら複数の入力キー４０のうち、時を示す際のアナログ時計の短針の位置に周方向において対応する１つ又は２つの入力キー４０を点灯させることで、第１入力部１２に時分のうちの時を表示させる。この携帯端末１は、周方向に異なる位置にある８つの入力キー４０のうち、１つ又は２つを点灯させるため、０時から１２時のそれぞれを区別して表示することが可能となる。また、アナログ時計の短針の位置に対応する入力キー４０を点灯させることで、ユーザは直感的に時を認識することが可能となる。
【００７３】
また、第１入力部１２は、所定位置Ｐの上方向に位置する上入力キー４１と、所定位置Ｐの下方向に位置する下入力キー４３と、所定位置Ｐの右方向に位置する右入力キー４２と、所定位置Ｐの左方向に位置する左入力キー４４と、周方向において上入力キー４１と右入力キー４２との間に位置する右上入力キー４６と、周方向において右入力キー４２と下入力キー４３との間に位置する右下入力キー４７と、周方向において下入力キー４３と左入力キー４４との間に位置する左下入力キー４８と、周方向において左入力キー４４と上入力キー４１との間に位置する左上入力キー４９と、を有する。制御部９０は、１つの入力キー４０を点灯させる場合、上入力キー４１、右入力キー４２、下入力キー４３、及び左入力キー４４のうちの１つを点灯させる。また、制御部９０は、２つの入力キー４０を点灯させる場合、上入力キー４１、右入力キー４２、下入力キー４３、及び左入力キー４４のうちの１つと、右上入力キー４６、右下入力キー４７、左下入力キー４８、及び左上入力キー４９のうちの１つとを、同時に点灯させる。この携帯端末１は、このような配置の入力キー４０を、このように点灯させることで、時を適切に表示することができる。
【００７４】
また、制御部９０は、時刻情報における分において１０の位と１の位とが同じ数字である場合、その数字が表示されている１つの数字入力キー５０を点灯させる。また、制御部９０は、時刻情報における分において１０の位と１の位とが異なる数字であった場合、それらの数字が表示されている２つの数字入力キー５０を同時に点灯させる。この制御部９０は、１０の位と１の位とが同じである場合に１つの数字入力キー５０を点灯させ、１０の位と１の位とが異なる場合に２つの数字入力キー５０を同時に点灯させるため、分が２桁であっても、分を１度に適切に表示することが可能となる。
【００７５】
また、第２入力部１４は、さらに補助入力キー７０を有している。そして、制御部９０は、時刻情報における分において１０の位の数字が１の位の数字より大きい場合、又は、１０の位の数字が１の位の数字より小さい場合のいずれか一方において、それらの数字に対応する２つの数字入力キー５０と共に、補助入力キー７０を点灯させる。本実施形態に係る携帯端末１は、２つの数字入力キー５０を同時に点灯させるため、どちらの数字入力キー５０が１０の位を示しているかを、ユーザが確認できなくなるおそれがある。それに対し、制御部９０は、１０の位の数字が１の位の数字より大きい場合、又は、１０の位の数字が１の位の数字より小さい場合のいずれか一方において、補助入力キー７０を点灯させ、他方の場合において、補助入力キー７０を点灯させない。従って、ユーザは、補助入力キー７０の点灯を確認することで、どちらの数字入力キー５０が１０の位を示しているかを、適切に認識することができる。従って、この携帯端末１によると、容易に時刻を認識することが可能となる。なお、本実施形態では、補助入力キー７０として、＃が印字された補助入力キー７２を点灯させているが、数字入力キー５０以外の補助入力キー７０を点灯させればよい。すなわち、＊が印字された補助入力キー７１を点灯させてもよいし、補助入力キー７１、７２の両方を点灯させてもよい。ただし、補助入力キー７２は、補助入力キー７１よりも後段側、すなわち方向Ｘ１側にあるため、補助入力キー７１よりも補助入力キー７２を点灯させることが好ましい。
【００７６】
以上、本発明の実施形態を説明したが、これら実施形態の内容により実施形態が限定されるものではない。また、前述した構成要素には、当業者が容易に想定できるもの、実質的に同一のもの、いわゆる均等の範囲のものが含まれる。さらに、前述した構成要素は適宜組み合わせることが可能である。さらに、前述した実施形態の要旨を逸脱しない範囲で構成要素の種々の省略、置換又は変更を行うことができる。
【符号の説明】
【００７７】
１  携帯端末
１０  筐体
１０Ａ  表面
１２  第１入力部
１４  第２入力部
４０  入力キー
５０  数字入力キー
７０  補助入力キー
８０  発光部
８１  第１発光部
８２  第２発光部
９０  制御部
１００  時刻情報取得部
１０２  第１発光制御部
１０４  第２発光制御部
Ｐ  所定位置
【図１】
2020043440.tif 000003
【図２】
2020043440.tif 000004
【図３】
2020043440.tif 000005
【図４】
2020043440.tif 000006
【図５】
2020043440.tif 000007
【図６】
2020043440.tif 000008
【図７】
2020043440.tif 000009
【図８】
2020043440.tif 000010
【図９】
2020043440.tif 000011
【図１０】
2020043440.tif 000012